【事件の表示】
　特許第３３９７１３７号「液体燃料燃焼器の給油装置」の請求項１に係る特許に対する特許異議の申立てについて、次のとおり決定する。
【結　論】
　訂正を認める。
　特許第３３９７１３７号の請求項１に係る特許を取り消す。
【理　由】
１．手続の経緯
　特許第３３９７１３７号の発明についての出願は、平成１０年６月２４日に出願され、平成１５年２月１４日にその発明について特許の設定登録がなされ、その後、異議申立人酒井和義により特許異議申立がなされ、平成１６年７月１５日付け取消理由通知がなされ、その指定期間内である平成１６年９月２８日に特許異議意見書および訂正請求書が提出されたものである。
　
２．訂正の適否についての判断
（１）訂正の内容
　特許権者が求めている訂正の内容は、上記訂正請求書に添付された全文訂正明細書に記載された、以下のａ，ないしｃ．のものである。
ａ．特許請求の範囲に記載されていた
「【請求項１】　液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成したことを特徴とする液体燃料燃焼器の給油装置。
【請求項２】 上記受皿の環状凸壁の天面をテーパ状としたことを特徴とする請求項１記載の液体燃料燃焼器の給油装置。
【請求項３】 上記受皿の環状凸壁の外周に形成される凹部底面に油抜き穴を設けたことを特徴とする請求項１記載の液体燃料燃焼器の給油装置。」
を、
「【請求項１】　液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し
、上記環状凸壁の内壁が下方に延伸して液面を取り囲む側壁を形成するとともに、この側壁の内径が上記握り部の外径より小さい
　【請求項２】　
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
る液
　【請求項３】　
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
る液
に訂正する。
　
ｂ．発明の詳細な説明の段落【００１４】ないし【００１６】における、
「【００１４】
【課題を解決するための手段】この発明に係る液体燃料燃焼器の給油装置は、液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁体を開放する受皿とを備えてなるものにおいて、上記カートリッジタンクの給油口キャップに、金属部材からなるキャップ部と一体的に成形加工した合成樹脂製の握り部を設けるとともに、上記カートリッジタンクの設置状態で、上記受皿には合成樹脂製の握り部の近傍まで達する環状凸壁を形成したものである。
【００１５】また、上記受皿の環状凸壁の天面をテーパ状としたものである。
【００１６】また、上記受皿の環状凸壁の外周に形成される凹部底面に油抜き穴を設けたものである。」
を、
「【００１４】
【課題を解決するための手段】
　この発明に係る液体燃料燃焼器の給油装置は、液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁体を開放する受皿とを備えてなるものにおいて、上記カートリッジタンクの給油口キャップに、金属部材からなるキャップ部と一体的に成形加工した合成樹脂製の握り部を設けるとともに、上記カートリッジタンクの設置状態で、上記受皿には合成樹脂製の握り部の近傍まで達する環状凸壁を形成し
、上記環状凸壁の内壁が下方に延伸して液面を取り囲む側壁を形成するとともに、この側壁の内径が上記握り部の外径より小さい
【００１５】
　また、
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
【００１６】
　また、
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
と訂正する。
　
ｃ．発明の詳細な説明の段落【００２６】ないし【００２８】における、
「【００２６】
【発明の効果】以上のように、本発明によれば、本体を移動し油受皿内の液面が波打っても、カートリッジタンクの給油口キャップに設けた握り部先端に液体燃料が付着しない液体燃料燃焼器の受皿を提供することができる。
【００２７】また、タンクのキャップ部弁体と受皿の突き上げピンの位置合わせを容易かつ正確に行うことができるという効果がある。
【００２８】また、上記受皿の環状凸壁の外周に形成される凹部底面に万が一液体燃料が浸入しても、すぐにこの凹部底部に設けた油抜き穴から液体燃料を油受皿内に排出することができるという効果がある。」
を、
「【００２６】
【発明の効果】
　以上のように、本発明によれば、
液体燃料を収容するカートリッジタンクと、このカートリッジタンクから液体燃料の供給を受ける油受皿と、この油受皿とカートリッジタンクとの間に設置されてカートリッジタンクの給油口キャップに設けられた弁装置を開放する受皿とを備えてなる液体燃料燃焼器の給油装置において、カートリッジタンクの給油口キャップに、金属部材からなるキャップ部と一体的に成形加工した合成樹脂製の握り部を設けるとともに、受皿にはカートリッジタンクの設置状態で、合成樹脂製の握り部近傍まで達する環状凸壁を形成し、環状凸壁の内壁が下方に延伸して液面を取り囲む側壁を形成するとともに、この側壁の内径が上記握り部の外径より小さいため、
【００２７】
　また、
液体燃料を収容するカートリッジタンクと、このカートリッジタンクから液体燃料の供給を受ける油受皿と、この油受皿と上記カートリッジタンクとの間に設置されてカートリッジタンクの給油口キャップに設けられた弁装置を開放する受皿とを備えてなる液体燃料燃焼器の給油装置において、カートリッジタンクの給油口キャップに、金属部材からなるキャップ部と一体的に成形加工した合成樹脂製の握り部を設けるとともに、受皿にはカートリッジタンクの設置状態で、合成樹脂製の握り部近傍まで達する環状凸壁を形成し、受皿の環状凸壁の天面をテーパ状としたため、
【００２８】
　また、
液体燃料を収容するカートリッジタンクと、このカートリッジタンクから液体燃料の供給を受ける油受皿と、この油受皿とカートリッジタンクとの間に設置されてカートリッジタンクの給油口キャップに設けられた弁装置を開放する受皿とを備えてなる液体燃料燃焼器の給油装置において、カートリッジタンクの給油口キャップに、金属部材からなるキャップ部と一体的に成形加工した合成樹脂製の握り部を設けるとともに、受皿にはカートリッジタンクの設置状態で、合成樹脂製の握り部近傍まで達する環状凸壁を形成し、受皿の環状凸壁の外周に形成される凹部底面に油抜き穴を設けたため、
と訂正する。
　
　
（２）訂正の目的の適否、新規事項の有無及び拡張・変更の存否
イ．上記ａの訂正について
　上記（１）ａの訂正は、元の請求項１に、限定を付加し、元の請求項１を減縮するものである。この訂正は、特許請求の範囲の減縮に該当し、願書に添付した明細書及び図面に記載された事項の範囲内においてなされたものであり、また、実質上特許請求の範囲を拡張又は変更するものではない。
　なお、請求項２，３に関する訂正は、引用形式の記載を独立形式の記載に変更するものであり、実体的な変更ではない。
　　
ロ．上記ｂ及びｃの訂正について
　上記（１）ｂ及びｃの訂正は、上記（１）ａにおける特許請求の範囲の訂正と整合をとるため、発明の詳細な説明の記載を訂正するものであり、明瞭でない記載の釈明に該当する。
　そして、このｂ及びｃの訂正は、願書に添付した明細書及び図面に記載された事項の範囲内においてなされたものであり、実質上特許請求の範囲を拡張又は変更するものではない。
　
　
（３）まとめ
　以上のとおりであるから、上記訂正は、特許法第１２０条の４第２項及び同条第３項において準用する特許法第１２６条第２項から第４項までの規定に適合するので、当該訂正を認める。
　
　
３．本件発明
　したがって、本件の請求項１ないし３に係る発明は、上記手続補正書に添付された全文訂正明細書の特許請求の範囲の請求項１ないし３に記載された事項により特定される下記のとおりのものである。
「【請求項１】　液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、上記環状凸壁の内壁が下方に延伸して液面を取り囲む側壁を形成するとともに、この側壁の内径が上記握り部の外径より小さいことを特徴とする液体燃料燃焼器の給油装置。
　【請求項２】　液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、上記受皿の環状凸壁の天面をテーパ状としたことを特徴とする液体燃料燃焼器の給油装置。
　【請求項３】　液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、上記受皿の環状凸壁の外周に形成される凹部底面に油抜き穴を設けたことを特徴とする液体燃料燃焼器の給油装置。」
　
　
４．特許異議申立理由の概要
　特許異議申立人酒井和義は、
・甲第１号証：実願昭６２−１７８６６４号（実開平１−８８１３７号）の
　　　　　　　マイクロフイルム
・甲第２号証：実願昭６１−１５８９９５号（実開昭６３−６７７４８号）
　　　　　　　のマイクロフイルム
を引用し、本件の請求項１に係る発明は、甲第１号証及び甲第２号証に記載された発明に基づいて当業者により容易になされたものであるから、この発明の特許は特許法第２９条第２項の規定に違反してなされたものであり、本件の請求項１に係る発明の特許は取り消されるべきものである旨を述べている。
　
　
５．当審が通知した取消理由通知の概要
　当審が通知した平成１６年２月２５日付け取消理由通知では、
刊行物１：実願昭６２−１７８６６４号（実開平１−８８１３７号）の
　　　　　マイクロフイルム（上記甲第１号証と同じ）
刊行物２：実願昭６１−１５８９９５号（実開昭６３−６７７４８号）の
　　　　　マイクロフイルム（上記甲第２号証と同じ）
を引用し、本件の請求項１に係る発明は、その出願前日本国内において頒布された上記刊行物１及び２に記載された発明に基づいて、その出願前にその発明の属する技術の分野における通常の知識を有する者が容易になし得たものであるから、請求項１に係る発明の特許は、特許法第２９条第２項の規定に違反してなされたものであって、取り消されるべきものである旨が述べられている。
　
　
６．各刊行物記載の発明
（１）当審が通知した取消理由通知で引用した刊行物１に記載された発明
　刊行物１には次のａ．〜ｅ．の記載がある。
ａ．「この考案は給油タンクを着脱自在に設けた給油装置に関するものである。」（明細書第１頁１０，１１行））
　
ｂ．「〔従来の技術〕
　第２図は従来の給油装置を示し、第２において、１は一側に給油口２を突設した給油タンクで、反対の面に持ち運び用ハンドル（図示せず）を取り付けている。
　３は給油口２の外周に螺合され、かつパッキン４を介して給油口２を気密に塞ぐ口金キャップであり、その上面中央に油送出口６を形成している。
　７はこの油送出口６を口金キャップ３の内側から塞ぐ弁体で、支持具８との間にコイルバネ９が介装されて常時油送出口６に押し付けられている。
　１０は給油タンク１から灯油を受ける油受タンクで、燃焼部と連通されるとともに上面を開□し、この開ロにタンク受皿１１を装着している。このタンク受皿１１は上面に油受タンク１０の内部に達する凹部１２を有するとともに、この凹部１２の底部に複数個の開口１３を設け、その底部中央に上記弁体７を押し上げて開放させるピン１４を突設している。
　１５はタンク受皿１１の凹部１２の底部に配設したフィルターである。
　１６は口金キャップ３の外周面に密着して固定された口金キャップカバーであり、その一部は口金キャップ３との間に環状凹所１７を形成している。
　　　　　・・・・・
通常、給油タンク１は
石油燃焼器
　　　　　・・・・・
　給油タンク１に油を補給する際、給油口２を上に向けると、油送出口６付近に付着した油は、口金キャップ３の表面を伝わって流れ落ち、環状凹所１７に溜る。口金キャップ３を回して外す際に手が触れる口金キャップカバー１６の外周面には油が付着していないから、手を汚さずに口金キャップ３を外すことができる。また、口金キャップカバー１６の外周部には突出部１８を設けてあるので、口金キャップ３を回す時、力を加え易い。」（明細書第１頁１２行〜第４頁９行）、（下線は当審が付した。以下、同じ。）
　
ｃ．「〔考案が解決しようとする問題点〕
　しかしながら、従来の給油装置では、通常のセット時には油の付着を防止できるが、給油タンク１のセットの仕方が勢いよく落とす様な具合でなされたりすると、油受タンク１０内の油５が激しくゆれ、油面５ａが波打って、口金キャップカバー１６の外側が飛びはねた油５で濡れてしまうことがあった。
　この考案は上記のような問題点を解消するためなされたもので、勢いよく給油タンクをセットしても、口金キャップ部の外側が油で濡れたりすることのない給油装置を得ることを目的とする。」（明細書第４頁１０行〜第５頁１行）
　
ｄ．「〔実施例〕
　以下、この考案の一実施例である第１図に基づいて説明する。
　第１図において、符号１〜１８は上記従来装置と同一の構成を有する部分を示す。
１９は給油タンク受皿１１内にあり、
仕切部材で、
２０は前記仕切部材１９の一部に形成した突部であり、上記□金キャップカバー１６の環状凹部１７内に突出して油の上方への飛び出し防止作用をさらに向上させるための突部である
　次に作用について説明する。
　上記の構成において、給油タンク１を勢いよく又は落とすような具合のセットの仕方をすると、油受タンク１０内の油５が大きな衝撃を受け、油面５ａが大きく揺れる。このため大きく揺れた油５の一部は、口金キャップカバー１６方向に飛びはねるが、飛びはねた油５は、口金キャップ３と定油面５ａとの間の空間に位置して設けられている仕切部材１９の下面に当たって下方に落下し、口金キャップカバー１６の外側や環状凹所１７の外側を濡らすことがない。したがって、給油時に給油タンク１を取出して口金キャップカバー１６に手を触れても、手が油で汚れる心配がない。」（明細書第５頁１３行〜第６頁１８行）
　
ｅ．「〔考案の効果〕
　以上のように考案によれば、給油タンクの口金キャップとタンク受皿内の油面との間の空間に位置して仕切部村を設けたことにより、給油タンクを勢いよく落とす様な具合にセットした場合でも、口金キャップ部側面を油で濡らすことはなくなり、給油時に手を汚さずに油の補給作業を行うことができるという効果がある。」（明細書第７頁４〜１１行）　
　
　
（２）当審が通知した取消理由通知で引用した刊行物２に記載された発明
　刊行物２には次のａ．〜ｃ．の記載がある。
ａ．「（３）
口金キャップカバーはプラスチックを口金キャップにアウトサート成形したものである
　
ｂ．「〔実施例〕
　以下、この考案の一実施例を図について説明する。第１図において、符号（１）〜（１５）は、上記従来装置と同一又は相当する部分を示す。
　
（１６）は□金キャップ（３）の外周面に密着して固定された□金キャップカバーであり
　
ｃ．「〔考案の効果〕
　以上のように、この考案によれば、口金キャップの外周にその上面に達しない短い口金キャップカバーを密着固定し該上面側に開口するように両者間に油溜め用の環状凹所を形成するように構成したので、口金キャップカバーの外周には油の付着がなく、油を給油タンクに補給するとき、油で手が汚れることがない。従って、給油のたびに手を洗わなくてはならないという不便さを解消できる効果がある。」（明細書第６頁１８行〜第７頁７行）　
　
　
　
７．本件の請求項１に係る発明に対する対比，判断
（１）対比
　本件の請求項１に係る発明（以下、「本件発明１」という。）と、刊行物１に記載された発明を対比する。
　刊行物１に記載された発明の
・給油タンク１、
・口金キャップ３、
・口金キャップカバー１６、
・弁体７、支持具８及びコイルバネ９、
・油受タンク１０、
・給油タンク受皿１１、
・突部２０、
・石油燃焼器（上記引用箇所６．（１）ｂ．中程参照）、
は、本件発明１における
・カートリッジタンク、
・キャップ部、
・握り部、
・弁装置、
・油受皿、
・受皿、
・環状凸壁、
・液体燃料燃焼器、
にそれぞれ相当すると認められる。
　
　
（２）一致点
　したがって、両発明は、
「液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、キャップ部と握り部を設けるとともに、上記受皿には上記カートリッジタンクの設置状態で、上記握り部近傍まで達する環状凸壁を設けたことを特徴とする液体燃料燃焼器の給油装置。」
で一致する。
　
（３）相違点
《相違点Ａ》
　本件発明１では「（給油口キャップに）金属部材からなるキャップ部と一体的に成形加工した合成樹脂製の握り部を設ける」とされている。
　これに対し、刊行物１に記載された発明では、これらの材質からなる「口金キャップ３（キャップ部に相当）」と「口金キャップカバー１６（握り部に相当）」を一体的に成形加工したとは記載されていない。
　
《相違点Ｂ》
　本件発明１では「受皿には（環状凸壁を）形成した」とされている。
　これに対し、刊行物１に記載された発明では、「給油タンク受皿１１（受皿に相当）」の内部に「突部２０（環状凸壁に相当）」が設けられている（上記引用箇所６．（１）ｄ．前半参照）が、「給油タンク受皿１１」に「突部２０」が形成されているとは記載されていない。
　
《相違点Ｃ》
　本件発明１では「環状凸壁の内壁が下方に延伸して液面を取り囲む側壁を形成するとともに、この側壁の内径が握り部の外径より小さい」とされている。
　これに対し、刊行物１に記載された発明では、このような事項は記載されていない。
　
（４）判断
《上記相違点Ａについての検討》
　相違点Ａにおける本件発明１の構成は、刊行物２の上記引用箇所６．（２）ａ．及びｂ．の記載より当業者が容易に想到できたと認められる。
　
《上記相違点Ｂについての検討》
　刊行物１に記載された発明では、「給油タンク受皿１１（受皿に相当）」の内部に「突部２０（環状凸壁に相当）」が設けられている。
　これを、「給油タンク受皿１１」に「突部２０」が形成されるとすることは、当業者であれば容易に想到できたと認められる。
　
《上記相違点Ｃについての検討》
　相違点Ｃにおける本件発明１の構成のように「環状凸壁の内壁が下方に延伸して液面を取り囲む側壁を形成するとともに、この側壁の内径が握り部の外径より小さい」としても、格別の効果が生じるとは認められない。また、この構成による発明の効果は本件明細書にも記載されていない。
　そうすると、この構成は設計上の事項というべきものであり、当業者であれば容易に採用できた事項にすぎない。
　
《まとめ》
　したがって、本件発明１は、その出願前日本国内において頒布された上記刊行物１に記載された発明に上記刊行物２に記載された発明を組み合わせることにより、その発明の属する技術の分野における通常の知識を有する者が容易になし得たものである。
　
　
　
８．むすび
　以上のとおりであるから、本件発明１についての特許は、特許法第２９条第２項の規定に違反してなされたものである。
　したがって、本件発明１についての特許は、特許法第１１３条第２号に該当し、取り消されるべきものである。
　よって、結論のとおり決定する。
【異議決定日】
平成１６年１０月２１日（２００４．１０．２１）
【訂正の要旨】
審決（決定）の【理由】欄参照。
（５４）【発明の名称】
液体燃料燃焼器の給油装置
（５７）【特許請求の範囲】
　【請求項１】　液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁装置を開放する受皿とを備えてなる液体燃料燃焼器の給油装置において、
上記カートリッジタンクの給油口キャップに、金属部材からなるキャップ部と一体的に成形加工した合成樹脂製の握り部を設けるとともに、
上記受皿には上記カートリッジタンクの設置状態で、上記合成樹脂製の握り部近傍まで達する環状凸壁を形成し
、上記環状凸壁の内壁が下方に延伸して液面を取り囲む側壁を形成するとともに、この側壁の内径が上記握り部の外径より小さい
　【請求項２】　
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
る液
　【請求項３】　
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
る液
【発明の詳細な説明】
　【０００１】
　【発明の属する技術分野】
　本発明は、カートリッジタンクを使用した石油ストーブ、石油ファンヒーターなどの液体燃料燃焼器の給油装置に関するものである。
　【０００２】
　【従来の技術】
　図５は本発明の出願人が本発明に先だって提案（公知技術ではない）した液体燃料燃焼器の給油装置を示す要部断面図である。図６はそのカートリッジタンクを暖房機本体内に装着する途中状態を示す要部断面図である。図７はその暖房機本体を移動しているときの油面の動き状態を示す要部断面図である。
　【０００３】
　図中、１はカートリッジタンク、２はこのタンク１内に収容された灯油などの液体燃料、３はタンク１の一端に接合固着された給油口である。
　給油口３にはネジ部３ａが形成されており、このネジ部３ａに螺合するネジ部４ｃ有する給油口キャップ４が装着されている。給油口３と給油口キャップ４との間にはゴムパッキン６が介在されてシールされている。
　【０００４】
　前記給油口キャップ４は、先端にＯリング９がはめ込まれた弁体８と、その弁体８を閉方向に押し付けるコイルバネ１０と、これら弁体８とコイルバネ１０を保持する弁押え筒７とから構成された弁装置を備えた金属部材よりなるキャップ部４ａと、該キャップ部４ａの端部に形成したフランジ４ｄを挟むようにして、例えばインサート成形等によって一体に形成された合成樹脂よりなる握り部５とから構成されている。
　【０００５】
　１１は中央に突き上げピン１１ａを有する受皿、１２はこの受皿１１が設置された油受皿で、暖房機本体（図示せず）内に設けられている。１３はタンク１外側に設けられたタンク案内板である。
　【０００６】
　次に、動作について説明する。
　図６のように、液体燃料２が入ったタンク１を、給油口３を下向きにして、暖房機本体に装着すると、タンク１はその外面がタンク案内板１３に接触することで、給油口キャップ４の弁体８と受皿１１の突き上げピン１１ａがちょうど合う位置に案内される。
　そして図５の状態にタンク１が油受皿１２上に設置されると、油受皿１２上に配置された受皿１１の突き上げピン１１ａにより給油口キャップ４のキャップ部４ａの弁体８がＯリング９とともに中へ押し込まれ、流出口４ｂが開かれて、タンク１の気密状態が破られ、開放となる。
　これにより、タンク１内の液体燃料２と外気が入れ替わり、タンク１内の液体燃料２は油受皿１２内に流出し、油受皿１２内の液面２ａは上昇する。
　【０００７】
　液面２ａの上昇により、図５に示すように、給油口キャップ４のキャップ部４ａの先端を液面２ａが覆う状態、すなわち、タンク１内に外気が入らなくなると、液体燃料の流出は停止し、その状態に保たれる。
　油受皿１２に設けられた燃料汲み上げポンプ（図示せず）等により、油受皿１２内の液体燃料が燃焼器（図示せず）へ送られ、油受皿１２内の液面２ａが下がると、再度、外気と入れ替えにタンク１内の液体燃料２が油受皿１２内に流出し、液面１２ａが上昇するという過程を繰り返す。
　【０００８】
　給油口キャップ４のキャップ部４ａ先端は、常時液体燃料２に触れており、給油作業のため、使用者がタンク１を暖房機本体内から引き抜くと、給油口キャップ４のキャップ部４ａ先端は液体燃料２が付着したままの状態である。
　給油作業のため、タンク１を本体から取り出し、給油口３が上になるようにしてタンク１を床面等に置くと、給油口キャップ４のキャップ部４ａ先端に付着していた液体燃料２ｂは、キャップ部４ａの外周に沿って流れ落ちるが、キャップ部４ａの端部に形成したフランジ４ｄに合成樹脂製の握り部５がインサート成形等により一体に形成されているため、液体燃料２ｂはそこで止まる。
　【０００９】
　これにより、握り部５の外周面には給油口キャップ４のキャップ部４ａ外周面を伝って流れ落ちた液体燃料２ｂが達することはない。従って、使用者はこの握り部５をもって開閉操作を行なっても、手が液体燃料で汚れる心配はまったくない。また、握り部５とキャップ部４ａとは一体化されているので、手が滑ったり、空回りすることもなく、かつ、キャップ部４ａが抜けて床面に落してしまうこともなく、確実に開閉作業が行なえる。
　【００１０】
　しかし、使用者が、例えば、異なる部屋で使用するために、暖房機本体を移動する場合、本体両側面上部に設けられた取手（図示せず）に手をかけ、本体を持ち上げて部屋から部屋への移動となるが、この移動による揺れで、図７に示すように、油受皿１２内の液面２ａは大きく波をうち、握り部先端５ａに液体燃料２の付着をまねく。握り部先端５ａに付着した液体燃料２ｂは、給油作業のため、図８のように、給油口３が上になるようにしてタンク１を床面等に置くと、握り部５の握り部先端５ａに付着していた液体燃料２ｂは、握り部５外周を伝って落ちる。使用者はこの握り部５外周をもって、開閉作業をおこなうので、手が液体燃料で汚れてしまう。
　【００１１】
　【発明が解決しようとする課題】
　上述したように、上記の構成によれば、通常の使用状態においては、キャップ部の端部に一体的に成形加工した合成樹脂製の握り部には燃料が付着することがないため、給油作業時に握り部を使用して給油口キャップの開け閉めを行えば、手が燃料で汚れることはないが、使用者が、例えば、異なる部屋で使用するために、暖房機本体を移動して液面が波うつと、握り部先端に液体燃料が付着してしまい、キャップ開閉作業のときに手が汚れるといった問題点があった。
　【００１２】
　また、タンク１を本体に装着するとき、その案内はタンク１の外側に配置されたタンク案内板１３により行われる。タンク１の装着を円滑に行うためには、タンク１とタンク案内板１３の隙間を多くとる必要が有り、一方、タンク１の給油口キャップ４及びその弁体８と受皿１１及びその突き出しピン１１ａの中心を合わせる位置出しには、タンク１とタンク案内板１３の隙間は少ない方が精度が出る。
　隙間が多過ぎると、装着は円滑に行なえるが、突き出しピン１１ａと弁体８の位置がなかなか合わず、弁体８を開くことができずに、液体燃料の供給ができなくなる。また、隙間が少な過ぎると、タンク１の装着、脱着がきつくなり、使用しにくい。よって、タンク１とタンク案内板１３の隙間の寸法管理が大変難しいという問題点があった。
　【００１３】
　本発明は、上記のような問題点を解決するためになされたもので、本体を移動し油受皿内の液面が波うっても、カートリッジタンクのキャップ握り部に液体燃料が付着しないようにした液体燃料燃焼器の給油装置を得ることを目的とする。　また、タンクの給油口キャップの弁体と受皿の突き出しピンの位置合わせを容易に行える液体燃料燃焼器の給油装置を得ることを目的とする。
　【００１４】
　【課題を解決するための手段】
　この発明に係る液体燃料燃焼器の給油装置は、液体燃料を収容するカートリッジタンクと、このカートリッジタンクから液体燃料の供給を受ける油受皿と、この油受皿と前記カートリッジタンクとの間に設置されて上記カートリッジタンクの給油口キャップに設けられた弁体を開放する受皿とを備えてなるものにおいて、上記カートリッジタンクの給油口キャップに、金属部材からなるキャップ部と一体的に成形加工した合成樹脂製の握り部を設けるとともに、上記カートリッジタンクの設置状態で、上記受皿には合成樹脂製の握り部の近傍まで達する環状凸壁を形成し
、上記環状凸壁の内壁が下方に延伸して液面を取り囲む側壁を形成するとともに、この側壁の内径が上記握り部の外径より小さい
　【００１５】
　また、
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
　【００１６】
　また、
液体燃料を収容するカートリッジタンクと、このカートリッジタンクから液体燃料の供給を受ける油受皿と、この油受皿と上記カートリッジタンクとの間に設置されて上記カートリッジタンクの給油口キャップに設けられた弁装置を開放する受皿とを備えてなる液体燃料燃焼器の給油装置において、上記カートリッジタンクの給油口キャップに、金属部材からなるキャップ部と一体的に成形加工した合成樹脂製の握り部を設けるとともに、上記受皿には上記カートリッジタンクの設置状態で、上記合成樹脂製の握り部近傍まで達する環状凸壁を形成し、
　【００１７】
　【発明の実施の形態】
実施の形態１．
　以下、本発明の実施の形態１について説明する。
　図１は本発明の実施の形態１を示すもので、図１はカートリッジタンクを暖房機本体内の油受皿上に設置した状態を示す要部断面図である。図２はカートリッジタンクを暖房機本体内に装着する途中状態を示す要部断面図である。
　図中、１はカートリッジタンク、２はこのタンク１内に収容された灯油などの液体燃料、３はタンク１の一端に接合固着された給油口である。
　給油口３にはネジ部３ａが形成されており、このネジ部３ａに螺合するネジ部４ｃを有する給油口キャップ４が装着されている。給油口３と給油口キャップ４との間にはゴムパッキン６が介在されてシールされている。
　【００１８】
　前記給油口キャップ４は、先端にＯリング９がはめ込まれた弁体８と、その弁体８を閉方向に押し付けるコイルバネ１０と、これら弁体８とコイルバネ１０を保持する弁押え筒７とから構成された弁装置を備えた金属部材よりなるキャップ部４ａと、該キャップ部４ａの端部に形成したフランジ４ｄを挟むようにして、例えばインサート成形等によって一体に形成された合成樹脂よりなる握り部５とから構成されている。
　【００１９】
　１１は中央に突き上げピン１１ａを有する受皿で、段絞り加工によって形成された環状凸壁１１ｂを有している。この環状凸壁１１ｂの天面１１ｃはテーパ状に形成されており、図１に示すように、タンク１を暖房機本体内に装着したときに、その天面１１ｃが給油口キャップ４の握り部５の先端５ａと接触はしない近傍位置に達するように形成されている。１１ｄは環状凸壁１１ｂの内壁、１２はこの受皿１１が設置された油受皿で、暖房機本体（図示せず）内に設けられている。
　【００２０】
　次に、動作について説明する。
　１のように、液体燃料２が入ったタンク１を、給油口３を下向きにして、暖房機本体に装着すると、タンク１はタンク案内板１３により案内され、おおよその位置調整を受ける。タンク１の給油口キャップ４のキャップ部４ａが、その下方にある受皿１１の環状凸部１１ｂの天面１１ｃに達すると、この天面１１ｃのテーパにより中心に案内されるように位置調整され、さらにキャップ部４ａの外周が環状凸壁１１ｂの内壁１１ｄに接触しながら、給油口キャップ４の弁体８と受皿１１の突き上げピン１１ａがちょうど合う位置に案内される。この位置調整は給油口キャップ４の外径寸法と、受皿１１の環状凸壁１１ｂ内径寸法の関係で決まるため、調整もしやすく、位置もでやすい。
　なお、受皿１１の環状凸壁１１ｂの天面１１ｅはテーパ状でなく、Ｒ形状としてもよい。
　また、上下方向の寸法は、図２のように、突き上げピン１１ａの先端に給油口キャップ４の弁体８が接触する前に、上記キャップ４が中心合わせ位置調整をうけるような位置関係になっている。位置調整されたタンク１が図１に示すように、油受皿１２上に設置すると、油受皿１２上に配置された受皿１１の突き上げピン１１ａにより給油口キャップ４のキャップ部４ａの弁体８がＯリング９とともに中へ押し込まれ、流出口４ｂが開かれて、タンク１の気密状態が破られ、開放となる。
　これにより、タンク１内の液体燃料２と外気が入れ替わり、タンク１内の液体燃料２は油受皿１２内に流出し、油受皿１２内の液面２ａは上昇する。
　【００２１】
　液面２ａの上昇により、図２に示すように、給油口キャップ４のキャップ部４ａの先端を液面２ａが覆う状態、すなわち、タンク１内に外気が入らなくなると、液体燃料の流出は停止し、その状態に保たれる。
　油受皿１２に設けられた燃料汲み上げポンプ（図示せず）等により、油受皿１２内の液体燃料が燃焼器（図示せず）へ送られ、油受皿１２内の液面２ａが下がると、再度、外気と入れ替えにタンク１内の液体燃料２が油受皿１２内に流出し、液面２ａが上昇するという過程を繰り返す。
　【００２２】
　給油口キャップ４のキャップ部４ａ先端は、常時液体燃料２に触れており、給油作業のため、使用者がタンク１を暖房機本体内から引き抜くと、給油口キャップ４のキャップ部４ａ先端は液体燃料２が付着したままの状態である。
　給油作業のため、タンク１を本体から取り出し、給油口３が上になるようにしてタンク１を床面等に置くと、給油口キャップ４のキャップ部４ａ先端に付着していた液体燃料２ｂは、キャップ部４ａの外周に沿って流れ落ちるが、キャップ部４ａの端部に形成したフランジ４ｄに合成樹脂製の握り部５がインサート成形等により一体に形成されているため、液体燃料２ｂはそこで止まる。
　【００２３】
　これにより、握り部５の外周面には給油口キャップ４のキャップ部４ａ外周面を伝って流れ落ちた液体燃料２ｂが達することはない。従って、使用者はこの握り部５をもって開閉操作を行なっても、手が液体燃料で汚れる心配はまったくない。また、握り部５とキャップ部４ａとは一体化されているので、手が滑ったり、空回りすることもなく、かつ、キャップ部４ａが抜けて床面に落してしまうこともなく、確実に開閉作業が行える。
　【００２４】
　使用者が、例えば異なる部屋で使用するために、暖房機本体を移動する場合、本体両側面上部に設けられた取手に手をかけ、本体を持ち上げての移動となるが、移動による揺れで油受皿１２内の液面２ａは波をうつ。しかし、受皿１１には堤防となる環状凸壁１１ｂがあるため、液面２ａの変位がこの環状凸壁１１ｂを乗り越えない限り、握り部５の先端５ａの方へ液体燃料２が届くことはない。よって握り部５の先端５ａに液体燃料が付着し、手が液体燃料で汚れてしまうことはない。
　【００２５】
実施の形態２．
　図３は、本発明の実施の形態２を示す受皿１１の平面図であり、図４はその正面半断面図である。
　この実施の形態２は、油受皿１２内の液面２ａより高い位置に設定された受皿１１の環状凸壁１１ｂの外周に形成される凹部底面１１ｅに油抜き穴１１ｆを形成したもので、本体の移動時に強い衝撃が加わり、環状凸壁１１ｂを液面２ａの変位が乗り越えてしまい、液体燃料２がその外周に形成した凹部底面１１ｅに至った場合に、その油抜き穴１１ｆから溜まった液体燃料２が油受皿１２内に戻るようになっている。凹部底面１１ｅに多量の液体燃料２が入った場合、油抜き穴１１ｆがないと、握り部先端５ａが液体燃料２により常時汚れてしまう。逆に、液体燃料２の揺れによる液面２ａの波打ちが環状凸壁１１ｂを乗り越えない程度の揺れであっても、液面２ａに近い下方に位置しているこの油抜き穴１１ｆから液体燃料２が噴出し、握り部先端５ａを液体燃料２で汚してしまうおそれがあるが、油抜き穴１１ｆの直径を例えば１〜２ｍｍ程度の大きさとし、数を１〜３個と小径かつ少数に設定すれば、握り部先端５ａを液体燃料２で汚すほどの噴出や浸入はしない。
　【００２６】
　【発明の効果】
　以上のように、本発明によれば、
液体燃料を収容するカートリッジタンクと、このカートリッジタンクから液体燃料の供給を受ける油受皿と、この油受皿とカートリッジタンクとの間に設置されてカートリッジタンクの給油口キャップに設けられた弁装置を開放する受皿とを備えてなる液体燃料燃焼器の給油装置において、カートリッジタンクの給油口キャップに、金属部材からなるキャップ部と一体的に成形加工した合成樹脂製の握り部を設けるとともに、受皿にはカートリッジタンクの設置状態で、合成樹脂製の握り部近傍まで達する環状凸壁を形成し、環状凸壁の内壁が下方に延伸して液面を取り囲む側壁を形成するとともに、この側壁の内径が上記握り部の外径より小さいため、
　【００２７】
　また、
液体燃料を収容するカートリッジタンクと、このカートリッジタンクから液体燃料の供給を受ける油受皿と、この油受皿と上記カートリッジタンクとの間に設置されてカートリッジタンクの給油口キャップに設けられた弁装置を開放する受皿とを備えてなる液体燃料燃焼器の給油装置において、カートリッジタンクの給油口キャップに、金属部材からなるキャップ部と一体的に成形加工した合成樹脂製の握り部を設けるとともに、受皿にはカートリッジタンクの設置状態で、合成樹脂製の握り部近傍まで達する環状凸壁を形成し、受皿の環状凸壁の天面をテーパ状としたため、
　【００２８】
　また、
液体燃料を収容するカートリッジタンクと、このカートリッジタンクから液体燃料の供給を受ける油受皿と、この油受皿とカートリッジタンクとの間に設置されてカートリッジタンクの給油口キャップに設けられた弁装置を開放する受皿とを備えてなる液体燃料燃焼器の給油装置において、カートリッジタンクの給油口キャップに、金属部材からなるキャップ部と一体的に成形加工した合成樹脂製の握り部を設けるとともに、受皿にはカートリッジタンクの設置状態で、合成樹脂製の握り部近傍まで達する環状凸壁を形成し、受皿の環状凸壁の外周に形成される凹部底面に油抜き穴を設けたため、
【図面の簡単な説明】
　【図１】　本発明の実施の形態１を示す給油装置のカートリッジタンクが油受皿上に装着された状態の要部断面図である。
　【図２】　本発明の実施の形態１を示す給油装置のカートリッジタンクが油受皿上に設置される前の状態の要部断面図である。
　【図３】　本発明の実施の形態２を示す受皿の平面図である。
　【図４】　本発明の実施の形態２を示す受皿の正面半断面図である。
　【図５】　従来の給油装置のカートリッジタンクが油受皿上に装着された状態の要部断面図である。
　【図６】　従来の給油装置のカートリッジタンクが油受皿上に設置される前の状態の要部断面図である。
　【図７】　従来の給油装置の本体移動時における液面の波打ち状態を示す要部断面図である。
　【図８】　従来のカートリッジタンクの給油時の状態を示す側面図である。　　【符号の説明】
　１　カートリッジタンク、２　液体燃料、４　給油口キャップ、４ａ　キャップ部、５　握り部、５ａ　握り部先端、８　弁体、１１　受皿、１１ａ　突き上げピン、１１ｂ　環状凸壁、１１ｃ　環状凸壁の天面、１１ｄ　凸壁内壁、１１ｅ　凹部底面、１１ｆ　油抜き穴、１２　油受皿。